(57)【要約】【課題】実際の原稿画像と、現在設定されている印刷設定内容を反映した印刷画像の両方を把握し易い態様で同時に表示することにより、単純なコピーミスを削減することができ、熟練者でなくとも使い易い画像形成装置を提供する。【解決手段】原稿を読み取って出力するための画像形成装置において、原稿台に載置された原稿を撮影するための撮影部と、前記撮影部で撮影した撮影画像にユーザにより設定された印刷条件を適用した印刷画像を生成するための印刷画像生成部と、前記撮影画像と前記印刷画像とを表示するための表示部と、を備えていることを特徴とする画像形成装置。【選択図】図１
2008107651.tif 000002
【特許請求の範囲】
【請求項１】
原稿を読み取って出力するための画像形成装置において、
原稿台に載置された原稿を撮影するための撮影部と、
前記撮影部で撮影した撮影画像にユーザにより設定された印刷条件を適用した印刷画像を生成するための印刷画像生成部と、
前記撮影画像と前記印刷画像とを表示するための表示部と、を備えていることを特徴とする画像形成装置。
【請求項２】
前記撮影画像に前記印刷画像の透過画像を重ね合わせた合成画像を生成するための画像合成部を更に有し、
前記表示部は、前記合成画像を表示することを特徴とする請求項１に記載の画像形成装置。
【請求項３】
前記表示部は、前記撮影画像および前記印刷画像の実物大表示を行うことを特徴とする請求項１または２に記載の画像形成装置。
【請求項４】
前記画像形成装置は、前記原稿台に載置された原稿を覆うための開閉自在なカバーを更に有し、
前記表示部は、前記カバーの前記原稿に臨む表面上に配設されることを特徴とする請求項１〜３のいずれか１つに記載の画像形成装置。
【請求項５】
前記撮影部はＣＣＤセンサであることを特徴とする請求項１〜４のいずれか１つに記載の画像形成装置。
【請求項６】
前記印刷条件は用紙サイズであることを特徴とする請求項１〜５のいずれか１つに記載の画像形成装置。
【請求項７】
前記画像形成装置は、フォーム画像を登録するためのフォーム部を更に有し、
前記フォーム画像を使用する指示があった場合には、前記画像合成部は、前記合成画像にフォーム画像を更に重ね合わせたフォーム合成画像を生成し、
前記表示部は、前記フォーム合成画像を表示することを特徴とする請求項２〜６のいずれか１つに記載の画像形成装置。
【発明の詳細な説明】
【技術分野】
【０００１】
本発明は、原稿を読み取って出力するための画像形成装置に関する。
【背景技術】
【０００２】
コンビニエンスストア等にはコイン投入式の複写機が備えられている。この種の複写機は、コインベンダへのコインの投入によりコピージョブが可能となり、原稿台上の原稿をスキャナでスキャンして読み取った原稿画像情報を主記憶装置に記憶し、制御装置で処理して、処理画像情報をプリンタに送信して印刷出力する画像形成装置である。
【０００３】
ところで、従来の複写機では、コピージョブを行う際に、操作パネルの印刷設定値から実際に出力される印刷画像を想像し難いため、誤った印刷設定のままでコピーを開始してしまい、印刷して初めてコピーミスが分かることがある。その原因の一つとして、ユーザが現在設定されている印刷設定内容を反映した印刷画像を視覚で確認できない点が挙げられる。
【０００４】
したがって、コピーに不慣れなユーザが利用する場合に、コピーミスから何度もコピー料金を支払わなければならない結果を招いており、たとえ１枚のコピー単価が安価であっても不愉快な思いをすることになる。
【０００５】
コピーミスを防止する技術としては、画像形成装置のディスプレイ上に、印刷画像（複写画像）および印刷用紙（記録媒体）のそれぞれの略イメージ（ピクト）を表示する技術（下記特許文献１参照）や、印刷装置のダイアログ画面上に、用紙サイズ、用紙の孔の位置、および描画イメージの向きを示すための予め準備された仕上がりイメージ画像を、印刷設定に基づき表示する技術（下記特許文献２参照）等が開示されている。
【０００６】
しかし、これらの技術はいずれも、印刷画像に対応する略イメージや仕上がりイメージ画像を画面上に表示するにすぎず、ユーザは、自らした印刷設定と選択される用紙とが合致しているか否かを判断することはできても、実際の原稿がどのように印刷されるかを視覚で確認することはできない。そのため、ユーザは依然としてミスコピーをしてしまう虞がある。
【特許文献１】特開平９−２４７３７２号公報
【特許文献２】特開２００４−６６５６７号公報
【発明の開示】
【発明が解決しようとする課題】
【０００７】
本発明は上記の問題を解決するためになされたものであり、本発明の目的は、実際の原稿画像と、現在設定されている印刷設定内容を反映した印刷画像の両方を把握し易い態様で同時に表示することにより、単純なコピーミスを削減することができ、熟練者でなくとも使い易い画像形成装置を提供することにある。
【課題を解決するための手段】
【０００８】
本発明の上記目的は、下記の手段により達成される。
【０００９】
（１）原稿を読み取って出力するための画像形成装置において、原稿台に載置された原稿を撮影するための撮影部と、前記撮影部で撮影した撮影画像にユーザにより設定された印刷条件を適用した印刷画像を生成するための印刷画像生成部と、前記撮影画像と前記印刷画像とを表示するための表示部と、を備えていることを特徴とする画像形成装置。
【００１０】
（２）前記撮影画像に前記印刷画像の透過画像を重ね合わせた合成画像を生成するための画像合成部を更に有し、前記表示部は、前記合成画像を表示することを特徴とする上記（１）に記載の画像形成装置。
【００１１】
（３）前記表示部は、前記撮影画像および前記印刷画像の実物大表示を行うことを特徴とする上記（１）または（２）に記載の画像形成装置。
【００１２】
（４）前記画像形成装置は、前記原稿台に載置された原稿を覆うための開閉自在なカバーを更に有し、前記表示部は、前記カバーの前記原稿に臨む表面上に配設されることを特徴とする上記（１）〜（３）のいずれか１つに記載の画像形成装置。
【００１３】
（５）前記撮影部はＣＣＤセンサであることを特徴とする上記（１）〜（４）のいずれか１つに記載の画像形成装置。
【００１４】
（６）前記印刷条件は用紙サイズであることを特徴とする上記（１）〜（５）のいずれか１つに記載の画像形成装置。
【００１５】
（７）前記画像形成装置は、フォーム画像を登録するためのフォーム部を更に有し、前記フォーム画像を使用する指示があった場合には、前記画像合成部は、前記合成画像にフォーム画像を更に重ね合わせたフォーム合成画像を生成し、前記表示部は、前記フォーム合成画像を表示することを特徴とする上記（２）〜（６）のいずれか１つに記載の画像形成装置。
【発明の効果】
【００１６】
本発明の画像形成装置によれば、ユーザ設定に基づく印刷画像と実際の原稿画像とを重ねて表示部に表示することができるので、ユーザは表示部を見ながら原稿位置または印刷設定を変更することで、コピーミスを容易に防止することができる。
【発明を実施するための最良の形態】
【００１７】
以下、本発明の実施形態を、図面を参照して詳細に説明する。
【００１８】
図１は本発明にかかる画像形成装置の一実施形態の装置構成を示すブロック図である。図２は本実施形態の画像形成装置の要部を示す概念図である。
【００１９】
図１を参照して、本実施形態にかかる画像形成装置１は、原稿３を載せるための原稿台２および原稿台２の下方に設けられ、コピージョブ実行時に原稿３を走査することで原稿３の静止画像を読み取る一次元のイメージセンサ（不図示）を備えたスキャナ４と、読み取った原稿画像情報を記憶・処理するコントローラ１０と、コントローラ１０により処理した画像情報を印刷出力するプリンタ５と、印刷設定情報を入力する操作パネル６と、原稿台２の下方に固定され、原稿画像をリアルタイムで撮影する二次元のイメージセンサであるＣＣＤセンサ７（ＣＣＤ；Ｃｈａｒｇｅ  Ｃｏｕｐｌｅｄ  Ｄｅｖｉｃｅ）と、画像情報を表示するディスプレイ８、複写料金の投入情報をコントローラ１０に入力するコインベンダ９と、から主に構成されている。なお、ＣＣＤセンサ７の代わりにＣＭＯＳ等の画像入力センサを利用することができる。また、ディスプレイ８としては、液晶ディスプレイやＥＬディスプレイ等の薄型のディスプレイを採用することが好ましい。なお、ＣＣＤセンサ７およびディスプレイ８については、更に詳しく後述する。
【００２０】
コントローラ１０は、演算処理および制御処理を行うＣＰＵ２０と、読取り専用の主記憶装置であるＲＯＭ３０と、読み書き可能な主記憶装置であるＲＡＭ４０と、を備えている。ＲＯＭ３０は不揮発性の半導体素子により形成され、スキャナ・プリンタ制御部３１、主制御部３２、印刷画像制御部３３および画像処理部３４を備えている。各制御部３１〜３４の機能は、ＲＯＭ３０に記憶された所定のプログラムをＣＰＵ２０が実行することにより発揮される。ＲＡＭ４０は揮発性の半導体素子により形成され、スキャン画像情報部４１、ＣＣＤ画像情報部４２、印刷画像情報部４３、表示部４４、入力部４５およびフォーム部４６の各作業エリアを有している。
【００２１】
ＲＯＭ３０において、スキャナ・プリンタ制御部３１は、スキャナ４およびプリンタ５の制御を行う。主制御部３２は、印刷画像制御部３３および画像処理部３４を制御し、印刷画像の生成の主制御を行う。印刷画像制御部３３は、印刷画像の生成を行う。すなわち、印刷画像制御部３３は、操作パネル６により設定された印刷プロパティに基づいて画像処理部３４に指示を行い、印刷画像を生成する。画像処理部３４は、印刷画像制御部３３から与えられたパラメータにより印刷画像の透過画像を生成する。この画像処理部３４は、ＣＣＤセンサ７により撮影された画像情報の補正も行う。さらに、画像処理部３４は、生成された印刷画像の透過画像を原稿画像に重ね合わせる合成処理も行う。
【００２２】
通常のコピージョブでは、ＲＡＭ４０のスキャン画像情報部４１が、スキャナ４のイメージセンサ（不図示）によりスキャンして読み取った原稿画像情報を保持し、ＲＯＭ３０のスキャナ・プリンタ制御部３１がスキャナ４およびプリンタ５の制御を行う。すなわち、スキャナ４はＲＡＭ４０のスキャン画像情報部４１に読み取った画像情報を送信し、ＲＯＭ３０のスキャナ・プリンタ制御部３１により処理された画像情報がプリンタ５ヘと送信されて印刷出力されることになる。
【００２３】
ＲＡＭ４０において、スキャン画像情報部４１は、スキャナ４のイメージセンサ（不図示）によりスキャンして読み取った原稿台２上の静止画像情報を保持する作業エリアである。スキャン画像情報部４１に保持される画像情報は通常の複写作業時に使用するスキャン画像と同等のものである。
【００２４】
ＣＣＤ画像情報部４２は、ＣＣＤセンサ７から連続した静止画像を取り込み保持する作業エリアである。ＣＣＤセンサ７が撮影した画像情報は、画像処理部３４において印刷画像と合成され、ディスプレイ８に表示される。
【００２５】
図２を参照して、原稿台２は透明なガラス板により形成されており、この原稿台２の下方の空きスペースの略中央部にはＣＣＤセンサ７が配設されている。原稿台カバー１２の裏面には薄型のディスプレイ８が搭載されており、このディスプレイ８は原稿台２上に設置される定型用紙等の原稿３を実物大で表示可能な大きさを有していることが好ましい。ただし、本発明において、ディスプレイ８の配設場所は原稿台カバー１２の裏面に限定されず、原稿台２に置かれた原稿３の全領域を撮影できる場所であれば適宜変更されうる。また、原稿台カバー１２を開いた状態において、薄型のディスプレイ８の一側方下部には操作パネル６が配置されている。
【００２６】
原稿台２の下方の空きスペースに配置されるＣＣＤセンサ７は１点のみならず、複数点に配置してもよく、ＣＣＤセンサ７により原稿３の静止画像情報が連続的に取り込まれる。ＣＣＤセンサ７により取り込まれた画像情報は画像処理部３４により画像補正される。たとえば、複数点にＣＣＤセンサ７を配置した場合には、複数のＣＣＤセンサ７により撮影された画像が合成された後に画像補正が行われる。また、ディスプレイ８には、実際の原稿画像Ｒに、印刷排紙される印刷画像Ｐの透過画像を重ね合わせた合成画像が表示されるため、ユーザは実際の原稿画像Ｒと印刷画像Ｐとを比較することが可能となる。
【００２７】
再び図１を参照して、ＲＡＭ４０において、印刷画像情報部４３は、画像処理部３４で作成された合成画像を保持する作業エリアである。画像処理部３４で作成された合成画像はＲＡＭ４０の表示部４４へ受け渡される。
【００２８】
表示部４４は、印刷画像制御部３３から合成画像を受け取り、ディスプレイ８にその画像情報を出力表示する。ここで、合成画像が高速に連続してディスプレイ８に送信されるため、ディスプレイ８に静止画像を動画として表示させることができる。
【００２９】
入力部４５は、操作パネル６からの印刷設定情報を受け取り、その設定情報を印刷プロパティとして設定する。
【００３０】
フォーム部４６は登録したフォーム画像を保持しており、ユーザからのリクエストに応じて、フォーム画像の透過画像を合成画像に更に重ね合わせる処理が、画像処理部３４により実行される。なお、フォーム処理を実施しない場合には、ＲＡＭ４０にフォーム部４６の記憶エリアを設けなくともよく、フォーム画像に関する処理は不要となる。
【００３１】
次に、図３から図５を用いて、本実施形態にかかる画像形成装置１の処理の流れを説明する。
【００３２】
図３は本実施形態にかかる画像形成装置１による処理の流れを示すフローチャートである。図４は本実施形態にかかる画像形成装置１による印刷画像生成処理を示すフローチャートである。図５は本実施形態にかかる画像形成装置１によるＣＣＤ画像読取り処理を示すフローチャートである。
【００３３】
図３を参照すると、まず、コインベンダ９にコインが投入されると、画像形成装置１は、印刷画像生成処理を行う（Ｓ１０１）。なお、印刷画像生成処理に先立ち、ユーザにより、原稿台カバー１２が開けられ、原稿台２上に原稿３が載せられているものとする。
【００３４】
＜印刷画像生成処理＞
図４を参照すると、Ｓ１０１における印刷画像生成処理は次の手順で行われる。まず、原稿台２下のＣＣＤセンサ７から原稿画像情報が読み取られ（Ｓ２０１）、画像情報部４２に保持される。この原稿画像情報は主制御部３２に送信され、画像処理部３４における印刷画像および合成画像の生成に用いられる。
【００３５】
図５を参照して、ステップＳ２０１におけるＣＣＤ画像読取り処理は、ＣＣＤセンサ７から静止画像を取り出し（Ｓ３０１）、この静止画像に対してセンサの配置位置に従った画像補正を行う、（Ｓ３０２）という手順で実行される。なお、このような画像補正は、画像処理部３４によって行われる。
【００３６】
再び図４を参照すると、操作パネル６を介してユーザにより指定された印刷設定情報が、入力部４５により取得される（Ｓ２０２）。この印刷設定情報に基づき、印刷画像制御部３３は、印刷画像の生成のための印刷パラメータを、画像処理部３４に与える。
【００３７】
続いて、画像処理部３４により、印刷画像が生成される（Ｓ２０３）。このとき、画像処理部３４は、印刷画像制御部３３から印刷パラメータを受け取り、その印刷パラメータに基づき印刷画像を生成する。
【００３８】
続いて、画像処理部３４により、Ｓ２０１において取り込まれた原稿画像情報と、Ｓ２０３において生成された印刷画像とが重ね合わせられて合成画像が生成される（Ｓ２０４）。
【００３９】
続いて、フォーム使用の指示があるか否かが判断される（Ｓ２０５）。ここで、フォーム使用の指示がない場合（Ｓ２０５のＮＯ）は、Ｓ２０４において生成された合成画像が、表示部４４に送られ、表示部４４によってディスプレイに表示される（Ｓ２０７）。
【００４０】
一方、フォーム使用の指示がある場合（Ｓ２０５のＹＥＳ）には、フォーム部４６に登録されたフォーム画像が、主制御部３２によって印刷画像制御部３３に渡される。そして、このフォーム画像が、Ｓ２０４にて生成された合成画像に更に重ね合わせられてフォーム合成画像が生成される（Ｓ２０６）。フォーム合成画像の生成は、画像処理部３４によって行われる。続いて、Ｓ２０６にて生成されたフォーム合成画像が、印刷画像情報部４３から表示部４４に送られ、表示部４４によってディスプレイ８に表示される（Ｓ２０７）。
【００４１】
次に、コピー開始操作が行われた否かが判断される（Ｓ２０８）。なお、本実施形態において、コピー開始操作とは、ユーザにより原稿台カバー１２が閉じられることを意味する。コピー開始操作が行われた場合（Ｓ２０８のＹＥＳ）には、図３のＳ１０２に移行する。一方、コピー開始操作が行われない場合（Ｓ２０８のＮＯ）には、ＣＣＤ読取り処理（Ｓ２０１）に戻る。
【００４２】
＜コピー処理＞
再び図３を参照して、ステップＳ１０２では、ユーザによるコピー開始指示があるか否かが判断される。本実施形態におけるコピー開始指示とは、操作パネル６等に設けられたコピー開始ボタンがユーザにより押されることを意味する。コピー開始指示がある場合（Ｓ１０２のＹＥＳ）には、コピー処理を行った後（Ｓ１０３）、印刷画像生成処理（Ｓ１０１）に戻る。
【００４３】
一方、コピー開始指示がない場合（Ｓ１０２のＮＯ）には、フォーム登録指示があるか否かが判断される（Ｓ１０４）。
【００４４】
＜フォーム登録処理＞
ここで、フォーム登録指示がない場合（Ｓ１０４のＮＯ）には、印刷画像生成処理（Ｓ１０１）に戻る。一方、フォーム登録指示がある場合（Ｓ１０４のＹＥＳ）には、フォーム登録処理を行った後（Ｓ１０５）、印刷画像生成処理（Ｓ１０１）に戻る。登録されたフォームは、フォーム部４６に保持される。
【００４５】
次に、図６から図８を用いて、本実施形態にかかる画像形成装置１の作用効果について説明する。
【００４６】
図６は本実施形態にかかる画像形成装置１による印刷結果を示す説明図である。図７は従来の画像形成装置による印刷結果を示す説明図である。図８は本実施形態にかかる画像形成装置１によるフォーム印刷結果を示す説明図である。
【００４７】
図６のように、ユーザがコピージョブを行う際、原橋台カバー１２を開け、原稿台２上に原稿３を載せると、操作パネル６により設定された印刷プロパティに基づいて生成された印刷画像Ｐの透過画像が、原稿画像Ｒに重ね合わせられて生成された合成画像Ｑがディスプレイ８に表示される。ここで、透過画像とは、他の画像と重ね合わせられたときに、相手側の画像を隠さずに完全に表示させるような画像のことをいう。
【００４８】
ユーザは、ディスプレイ８で合成画像Ｑを確認し、印刷画像Ｐが原稿画像Ｒと一致していない場合には操作パネル６の印刷設定値や原稿位置を修正し、正しい印刷画像Ｐに修正し終わったらコピーを開始することになる。
【００４９】
以下、コンビニエンスストア等に配置された画像形成装置１を例に挙げて、ユーザが原稿３のコピーを行う場合の手順について更に詳しく説明する。本例では、ユーザが原稿台２上にＡ４の原稿３を横置きに配置したものの、Ａ４の用紙１３がプリンタ５の給紙カセット内で縦置きに配置されていた場合について説明する。
【００５０】
図６を参照して、まず、ユーザは、コインベンダ９にコインを投入し、原稿台カバー１２を開けて原稿台２上に、Ａ４の原稿３を横置きに配置し（図６（Ａ）参照）、さらに操作パネル６を操作して所望の印刷設定を行う。すると、原稿台２の下方に配置されたＣＣＤセンサ７から画像情報部４２を介して原稿画像情報が主制御部３２に送信されると共に、操作パネル６により設定された印刷設定値が入力部４５を介して主制御部３２に送信される。そして、主制御部３２から印刷画像制御部３３に原稿画像情報および印刷設定値が受け渡される。印刷画像制御部３３は、画像処理部３４に、原稿画像情報および印刷設定値をパラメータとして受け渡し、印刷画像の透過画像を生成する。さらに、画像処理部３４は、生成された印刷画像の透過画像と原稿画像情報とを重ね合わせて合成画像を生成する。こうして生成された合成画像は表示部４４に受け渡され、ディスプレイ８に表示される。
【００５１】
このように、ディスプレイ８には、実際の原稿画像Ｒと印刷出力される印刷画像Ｐの透過画像とが重ねて表示されるため、ユーザは実際の原稿画像Ｒと印刷画像Ｐとを比較することが可能となる（図６（Ｂ）参照）。すなわち、ユーザは、ディスプレイ８に表示された印刷画像Ｐを見れば、用紙１３が給紙トレイ内で縦置きに配置されていることに容易に気付き得ることになる。
【００５２】
そして、ユーザが原稿台２上に横置きに載せていたＡ４の原稿３の向きを縦置きに変更するか、もしくはＡ４横置きの用紙１３が給紙されるように印刷設定を変更すれば、予想外のコピーミスを回避することができる（図６（Ｃ）参照）。
【００５３】
その後、上記の手順により再度合成画像が生成されるが、実際の原稿画像Ｒと印刷画像Ｐとが一致すれば、ミスなくコピーが行われることになる。コピー終了後には、ユーザは原稿台２上から原稿用紙３を取り出し、原稿カバー１２を閉めてコピージョブを終了する。
【００５４】
一方、図７を参照すると、従来の画像形成装置には、原稿台２上に載せられた原稿３に合わない用紙１３が指定された場合に（図７（Ａ）（Ｂ）参照）印刷画像を常に表示するシステムが存在しないため、ユーザは設定ミスに気付かず、コピーを失敗してしまう（図７（Ｃ）参照）。
【００５５】
本実施形態にかかる画像形成装置１によれば、図２および図６（Ｂ）のように、原稿台カバー１２の裏面に搭載されたディスプレイ８によって、実際の原稿画像Ｒと印刷画像Ｐの両方をユーザの目前に表示することができる。これにより、ユーザの印刷設定ミスがあった場合でも、コピー開始前に設定ミスを発見し易くなり、その場で印刷設定の修正を行うことが可能となるので、予想外のコピーミスを回避することができる。
【００５６】
このように、常に原稿の設置位置が正しいかを確認できるため、名刺やカードなどの定形外の原稿を複数並べて配置するような場合も、ディスプレイ８を見ながら容易にコピーを行うことができる。
【００５７】
また、図８のように、本実施形態にかかる画像形成装置１によれば、登録したフォームＦの画像を更に合成してディスプレイ８に表示することも可能となる。図８の例は、原稿を挿入するための枠２３を有するフォームＦに、名刺やカード等の小さい原稿２４を配置した例である。
【００５８】
図８を参照して、まず、ユーザは、コインベンダ９にコインを投入し、原稿台カバー１２を開けて原稿台２上に、Ａ４の登録用フォームＦを縦置きに配置し（図８（Ａ）参照）、さらに操作パネル６を操作して所望の印刷設定を行う。すると、原稿台２の下方に配置されたＣＣＤセンサ７から原稿画像情報が主制御部３２に送信されると共に、操作パネル６により設定された印刷設定値が主制御部３２に送信される。そして、主制御部３２から印刷画像制御部３３に原稿画像情報および印刷設定値が受け渡される。印刷画像制御部３３は、画像処理部３４に、原稿画像情報および印刷設定値をパラメータとして受け渡し、印刷画像を生成する。さらに、画像処理部３４は、生成された印刷画像と原稿画像情報とを重ね合わせて合成画像を生成する。こうして生成された合成画像は表示部４４に受け渡され、ディスプレイ８に表示される。このときの印刷画像は、原稿画像であるフォームＦと一致しているため、ディスプレイ８にはフォームＦのみが表示されることになる。
【００５９】
次に、ユーザは、操作パネル６から“フォーム登録”の項目を選択し、フォームＦを登録する。登録したフォームＦはスキャナ４により読み込まれ、その画像情報はＲＡＭ４０のフォーム部４６に登録される。
【００６０】
その後、ユーザは再度原稿台カバー１２を開けてフォームＦを取り除き、操作パネル６から“フォーム使用”の項目を選択する。すると、ＲＡＭ４０のフォーム部４６から表示部４４ヘフォームＦの画像情報が受け渡され、画像処理部３４により生成された合成画像に更に重ね合わせられてディスプレイ８に表示される。ただし、このときの原稿台２には原稿が載せられていないため、ディスプレイ８にはフォームＦのみが表示されることになる（図８（Ａ）参照）。
【００６１】
次に、ユーザはディスプレイ８に表示されたフォームＦに合わせて原稿２４を原稿台２上に配置する（図８（Ｂ）参照）。すると、原稿台２の下方に配置されたＣＣＤセンサ７から原稿画像情報が主制御部３２に送信されると共に、操作パネル６により設定された印刷設定値が主制御部３２に送信される。
【００６２】
そして、主制御部３２から印刷画像制御部３３に原稿画像情報および印刷設定値が受け渡される。印刷画像制御部３３は画像処理部３４に、原稿画像情報および印刷設定値をパラメータとして受け渡し、印刷画像を生成する。続いて、画像処理部３４は、生成された印刷画像と原稿画像情報とを重ね合わせて合成画像を生成し、さらに、合成画像にフォームＦの画像情報を重ね合わせてフォーム合成画像を生成する。こうして生成されたフォーム合成画像は表示部４４に受け渡され、表示部４４がフォーム合成画像をディスプレイ８に表示する（図８（Ｂ）参照）。
【００６３】
このようにディスプレイ８に表示されたフォーム合成画像により、ユーザはディスプレイ８を見ながら原稿２４の配置を修正することが可能である。原稿２４の配置が修正されると、上記の手順で再度フォーム合成画像が生成され、原稿２４がフォームＦの枠２３に上手く収まれば、ミスなくコピーが行われることになる。なお、コピー終了後にユーザは原稿台２上から原稿２３を取り出し、原稿カバー１２を閉めてコピージョブを終了する。
【００６４】
以上のように、本実施形態の画像形成装置１によれば、ユーザ設定に基づく印刷画像と実際の原稿画像とを重ねてディスプレイ８に表示することができるので、ユーザはディスプレイ８を見ながら原稿位置または印刷設定を変更することで、コピーミスを容易に防止することができる。
【００６５】
なお、コピーミスの例としては、1)原稿３の位置合わせを間違えることにより、原稿３がずれて必要な部分が切れてしまう場合、2)原稿３に対し、自動選択された用紙やユーザが選択した用紙が合わず、必要な部分が切れてしまう場合、3)直前に使用したユーザの設定が残ったままリセットせずに印刷してしまい、予期せぬ拡大や縮小、不適切なサイズの用紙での印刷になってしまう場合、4)ＦＡＸのロール紙等を原稿３として用い、原稿台カバー１２を閉めた際に原稿３が丸まって折れてしまう場合などが挙げられる。しかし、これらの場合でも、本実施形態にかかる画像形成装置１によれば、印刷画像Ｐを確認しながらの原稿３の位置合わせを行うことができるので、これらのコピーミスを容易に回避することができる。
【００６６】
また、図２のように、ユーザが見やすいように原稿台カバー１２の裏面に配設された薄型のディスプレイ８に実物大の合成画像Ｑを表示することで、ユーザは特別な動作を行わずとも容易に印刷設定のミスに気付くことができる。このことから、操作を学習した熟練者でなくとも、直感的にコピーミスを防ぐことが可能となる。
【００６７】
そして、原稿台２上に複数の原稿を並べ重ねてコピーする際には、印刷画像Ｐを確認しながらの位置合わせが可能になる。
【００６８】
なお、本発明は、上述した実施形態のみに限定されるものではなく、特許請求の範囲内において、種々改変することができる。
【００６９】
たとえば、上記の実施形態では、図２のようにＣＣＤセンサ７を原稿台２の下方の略中心部に配置しているが、本発明はこれに限定されず、ＣＣＤセンサ７を原稿台２の下方の空間の周囲に配置し、横方向や斜め方向から原稿３を撮影し、画像補正を行って、ディスプレイ８に表示するように構成してもよい。
【００７０】
また、ＣＣＤセンサ７の位置を２点や４点などの複数点に配置し、画像合成してディスプレイ８に表示する構成を採用することにより、原稿台２の下方のスキャナ４や他のセンサなどの配置や形状に拘らずにＣＣＤセンサ７を設置することが可能となる。
【００７１】
さらに、本実施形態においては、ディスプレイ８に印刷設定画面を表示するように構成したが、ディスプレイ８に表示する情報は任意に変更することができる。たとえば、コピー時やエラー時のナビゲーションの表示、広告の表示、地図等のインターネット画面の印刷などにディスプレイ８の表示を利用することにより、利便性を向上させることができる。また、ディスプレイ８に表示する画像は、必ずしも原稿の実物大でなくてもよい。
【図面の簡単な説明】
【００７２】
【図１】本発明の一実施形態にかかる画像形成装置の構成を示すブロック図である。
【図２】本実施形態にかかる画像形成装置の要部を示す概念図である。
【図３】本実施形態にかかる画像形成装置による処理を示すフローチャートである。
【図４】本実施形態にかかる画像形成装置による印刷画像生成処理を示すフローチャートである。
【図５】本実施形態にかかる画像形成装置によるＣＣＤ画像処理を示すフローチャートである。
【図６】本実施形態にかかる画像形成装置による印刷結果を示す説明図である。
【図７】従来の画像形成装置による印刷結果を示す説明図である。
【図８】本実施形態にかかる画像形成装置によるフォーム印刷結果を示す説明図である。
【符号の説明】
【００７３】
１    画像形成装置、
２    原稿台、
３    原稿、
４    スキャナ、
５    プリンタ、
６    操作パネル、
７    ＣＣＤセンサ、
８    ディスプレイ、
１０    制御装置、
１２    原稿台カバー、
３０    ＲＯＭ、
４０    ＲＡＭ、
４６    フォーム部、
Ｆ    フォーム、
Ｐ    印刷画像、
Ｑ    合成画像、
Ｒ    原稿画像。
【図１】
2008107651.tif 000003
【図２】
2008107651.tif 000004
【図３】
2008107651.tif 000005
【図４】
2008107651.tif 000006
【図５】
2008107651.tif 000007
【図６】
2008107651.tif 000008
【図７】
2008107651.tif 000009
【図８】
2008107651.tif 000010